(57)【要約】【課題】開閉式のレンズカバーを備えながら枠体の幅を一層狭くする。【解決手段】電子機器１０は、表示装置２２と、表示装置２２の周囲を囲う枠体２４と、枠体２４に配置されたカメラ２６と、枠体２４内の第１位置と第２位置との間でスライド可能なレンズカバーユニット３２と、レンズカバーユニット３２に固定され第１位置でレンズ２６ａの前方を覆い、第２位置でレンズ２６ａの前方を避ける位置に配置されるレンズカバー３４と、レンズカバーユニット３２に固定されＺ方向に弾性変形可能な板バネ５２と、枠体２４に固定されレンズカバーユニット３２が第１位置と第２位置との間でスライドするときに、板バネ５２の屈曲部６０をＺ方向に押圧して弾性変形させてその後に屈曲部６０が乗り越える突起６２とを備える。板バネ５２は両端がアーム４６に固定されている。突起６２は板バネ５２とアーム４６とにより挟持される。【選択図】図７
2020201886.tif 000002
【特許請求の範囲】
【請求項１】
表示装置と、
前記表示装置の周囲を囲う枠体と、
前記枠体内に配置され、前記枠体の前方を撮影可能なカメラと、
前記枠体内の第１位置と第２位置との間でスライド可能なレンズカバーユニットと、
光を透過させない材料で形成され、前記レンズカバーユニットに固定され、前記第１位置で前記カメラにおけるレンズの前方を覆う位置に配置され、前記第２位置で前記レンズの前方を避ける位置に配置されるレンズカバーと、
前記レンズカバーユニットまたは前記枠体の一方に固定され、前記表示装置の厚み方向に弾性変形可能な弾性体と、
他方に固定され、前記レンズカバーユニットが前記第１位置と前記第２位置との間でスライドするときに、前記弾性体の作用部を前記厚み方向に押圧して弾性的に変位させ、その後に前記作用部が乗り越える突起と、
を備えることを特徴とする電子機器。
【請求項２】
請求項１に記載の電子機器において、
前記レンズカバーユニットは前記レンズカバーユニットのスライド方向に沿って延在するアームを備え、
前記弾性体は前記スライド方向に沿って延在する金属板で形成されて、両端が前記アームに固定されていることを特徴とする電子機器。
【請求項３】
請求項２に記載の電子機器において、
前記突起は前記枠体と一体構造の突起ベースに設けられ、前記突起ベースは前記弾性体と前記アームとの間に設けられていることを特徴とする電子機器。
【請求項４】
請求項３に記載の電子機器において、
前記突起ベースは、前記弾性体と前記アームとにより挟持されていることを特徴とする電子機器。
【請求項５】
請求項３または４に記載の電子機器において、
前記作用部は前記金属板が前記厚み方向の一方に突出する屈曲部であり、
前記突起は前記厚み方向の他方に突出していることを特徴とする電子機器。
【請求項６】
請求項１に記載の電子機器において、
前記弾性体は前記レンズカバーユニットのスライド方向に沿って延在する金属板で形成されて、両端が前記枠体から突出する２つのポストに固定されていることを特徴とする電子機器。
【請求項７】
請求項１〜６のいずれか１項に記載の電子機器において、
前記突起の両側にはそれぞれ補助突起が設けられ、前記突起と２つの前記補助突起とにより第１凹部と第２凹部とが形成され、
前記レンズカバーユニットが前記第１位置にあるとき前記作用部は前記第１凹部に嵌まり込み、前記レンズカバーユニットが前記第２位置にあるとき前記作用部は前記第２凹部に嵌まり込むことを特徴とする電子機器。
【請求項８】
請求項１〜７のいずれか１項に記載の電子機器において、
前記レンズカバーユニットが前記第１位置または前記第２位置にあるとき、前記作用部は前記突起の裾部に接触していることを特徴とする電子機器。
【請求項９】
請求項１〜８のいずれか１項に記載の電子機器において、
前記作用部が前記レンズカバーユニットのスライド方向に沿って複数設けられるとともに前記突起が前記スライド方向に沿って複数設けられ、
複数の前記作用部と複数の前記突起とは、前記スライド方向に沿って交互に配置されていることを特徴とする電子機器。
【請求項１０】
請求項１〜９のいずれか１項に記載の電子機器において、
前記カメラは動作状態を示すインジケータを備え、
前記レンズカバーユニットは、前記第１位置にあるとき前記インジケータの前方を覆う位置に配置され、前記第２位置にあるとき前記インジケータの前方を避ける位置に配置されるインジケータカバーを有することを特徴とする電子機器。
【発明の詳細な説明】
【技術分野】
【０００１】
本発明は、開閉式のレンズカバーを備える電子機器に関する。
【背景技術】
【０００２】
ノートブック型パーソナル・コンピュータ（ノートブック型ＰＣ）、タブレット型コンピュータ（タブレットＰＣ）、または多機能携帯電話（スマートフォン）などの電子機器では、ディスプレイとして液晶パネルを使用するものがある。
【０００３】
近時このような電子機器ではいくつかの傾向がみられる。すなわち、液晶パネルを大画面化することにともなってその周囲の枠体を狭くするナローベゼル化が進んでいる。また、ディスプレイ面には、液晶パネルの周辺にカメラなどのデバイスが設けられるものが多くなってきている。
【０００４】
ディスプレイ面に設けられるカメラは一般的にユーザ側を指向しており、ユーザはカメラが動作していないときであっても、意図しない撮影が行われているのではないかという不安を感じることもある。また、カメラが露呈していると、枠体とのデザイン的一体感が損なわれる場合がある。カメラを覆い隠す手段としては、特許文献１のようにカバー体を人手によってスライドさせる機械的シャッタが考えられる。
【０００５】
特許文献１に記載の電子機器は、ディスプレイを囲う枠体と、枠体の上枠に設けられたカメラとを備えており、カバー体は上枠に沿って第１位置と第２位置との間でスライド可能となっている。そしてカバー体が第１位置にあるときレンズが覆われ、第２位置にあるとき露呈される。
【先行技術文献】
【特許文献】
【０００６】
【特許文献１】特開２０１９−２８１５７号公報
【発明の概要】
【発明が解決しようとする課題】
【０００７】
特許文献１に記載の電子機器においては、カバー体は人手によって第１位置と第２位置との間でスライドされるが、重力や振動などで不用意に動くことがないように第１位置および第２位置で保持されることが望ましい。これを実現するためには、例えば図９に示す構成が考えられる。
【０００８】
図９は、本願発明に対する比較例にかかる電子機器５００の一部拡大模式図であり、（ａ）はカメラ５０６のレンズ５０６ａが覆われている状態であり、（ｂ）はレンズ５０６ａが露呈されている状態である。
【０００９】
図９（ａ），（ｂ）に示すように電子機器５００は、ディスプレイ５０２を囲む枠体５０４の一部にカメラ５０６を備えている。枠体５０４にはカバー体５０８が設けられており、（ａ）に示す第１位置と（ｂ）に示す第２位置との間で横方向（Ｘ方向）にスライドする。カバー体５０８は、ノブ５１０と、カバー５１２と、弾性体５１４とを備える。ノブ５１０は、カバー体５０８全体をスライドさせために人手によって横方向に操作される。カバー５１２は（ａ）に示す第１位置でカメラ５０６のレンズ５０６ａを覆い、（ｂ）に示す第２位置でレンズ５０６ａを露呈させる。弾性体５１４は横方向に延在しており先端には作用部５１４ａを備える。作用部５１４ａは上下方向（Ｙ方向）に弾性的に変位可能である。枠体５０４には下方に突出する突起５１６が設けられている。突起５１６はカバー体５０８が第１位置と第２位置との間でスライドするときに、作用部５１４ａを下方に押圧して弾性体５１４を弾性変形させ、その後に作用部５１４ａが乗り越える。
【００１０】
ところが、このような構成では、弾性体５１４が適度な弾性を確保するために比較的厚く、しかも変形する移動代として枠体５０４はＹ方向にある程度の幅が必要である。このようなことから枠体５０４をＹ方向に一層狭くすることは困難である。
【００１１】
本発明は、上記の課題に鑑みてなされたものであって、開閉式のレンズカバーを備えながら枠体の幅を一層狭くすることのできる電子機器を提供することを目的とする。
【課題を解決するための手段】
【００１２】
上述した課題を解決し、目的を達成するために、本発明の態様に係る電子機器は、表示装置と、前記表示装置の周囲を囲う枠体と、前記枠体内に配置され、前記枠体の前方を撮影可能なカメラと、前記枠体内の第１位置と第２位置との間でスライド可能なレンズカバーユニットと、光を透過させない材料で形成され、前記レンズカバーユニットに固定され、前記第１位置で前記カメラにおけるレンズの前方を覆う位置に配置され、前記第２位置で前記レンズの前方を避ける位置に配置されるレンズカバーと、前記レンズカバーユニットまたは前記枠体の一方に固定され、前記表示装置の厚み方向に弾性変形可能な弾性体と、他方に固定され、前記レンズカバーユニットが前記第１位置と前記第２位置との間でスライドするときに、前記弾性体の作用部を前記厚み方向に押圧して弾性的に変位させ、その後に前記作用部が乗り越える突起と、を備える。
【００１３】
前記レンズカバーユニットは前記レンズカバーユニットのスライド方向沿って延在するアームを備え、前記弾性体は前記スライド方向に沿って延在する金属板で形成されて、両端が前記アームに固定されていてもよい。
【００１４】
前記突起は前記枠体と一体構造の突起ベースに設けられ、前記突起ベースは前記弾性体と前記アームとの間に設けられていてもよい。
【００１５】
前記突起ベースは、前記弾性体と前記アームとにより挟持されていてもよい。
【００１６】
前記作用部は前記金属板が前記厚み方向の一方に突出する屈曲部であり、前記突起は前記厚み方向の他方に突出していてもよい。
【００１７】
前記弾性体は前記レンズカバーユニットのスライド方向に沿って延在する金属板で形成されて、両端が前記枠体から突出する２つのポストに固定されていてもよい。
【００１８】
前記突起の両側にはそれぞれ補助突起が設けられ、前記突起と２つの前記補助突起とにより第１凹部と第２凹部とが形成され、前記レンズカバーユニットが前記第１位置にあるとき前記作用部は前記第１凹部に嵌まり込み、前記レンズカバーユニットが前記第２位置にあるとき前記作用部は前記第２凹部に嵌まり込んでもよい。
【００１９】
前記レンズカバーユニットが前記第１位置または前記第２位置にあるとき、前記作用部は前記突起の裾部に接触していてもよい。
【００２０】
前記作用部が前記レンズカバーユニットのスライド方向に沿って複数設けられるとともに前記突起が前記スライド方向に沿って複数設けられ、複数の前記作用部と複数の前記突起とは、前記スライド方向に沿って交互に配置されていてもよい。
【００２１】
前記カメラは動作状態を示すインジケータを備え、前記レンズカバーユニットは、前記第１位置にあるとき前記インジケータの前方を覆う位置に配置され、前記第２位置にあるとき前記インジケータの前方を避ける位置に配置されるインジケータカバーを有してもよい。
【発明の効果】
【００２２】
本発明の上記態様によれば、レンズカバーユニットに設けられた弾性体の作用部は表示装置の厚み方向に弾性変形可能となっている。そして、レンズカバーユニットが第１位置と第２位置との間でスライドするときに、作用部は突起により厚み方向に弾性的に変位し、その後に作用部が突起を乗り越える構成となっている。つまり、作用部が弾性的に変位するための移動代は厚みに確保されていれば足り、高さ方向には不要であって、レンズカバーユニットおよび該レンズカバーユニットが収容される領域の高さ方向寸法を小さく設定することができる。これにより、開閉式のレンズカバーを備えながら枠体の幅を一層狭くすることができる。
【図面の簡単な説明】
【００２３】
【図１】図１は、実施の形態にかかる電子機器を示す側面模式断面図である。
【図２】図２は、枠体における上枠の拡大正面図であり、（ａ）はレンズカバーユニットが第１位置にある状態を示し、（ｂ）はレンズカバーユニットが第２位置にある状態を示す図である。
【図３】図３は、蓋体を斜め裏側から見た一部拡大分解斜視図である。
【図４】図４は、斜め裏側から見たレンズカバーユニットの斜視図である。
【図５】図５は、正面斜め下方から見たレンズカバーユニットと上枠との分解斜視図である。
【図６】図６は、正面斜め下方から見た組立状態のレンズカバーユニットおよび上枠の斜視図である。
【図７】図７は、組立状態のレンズカバーユニットおよび上枠を下方から見た底面図であり、（ａ）はレンズカバーユニットが第１位置にある状態を示し、（ｂ）はレンズカバーユニットが第２位置にある状態を示し、（ｃ）はレンズカバーユニットが第１位置と第２位置との間にある状態を示す図である。
【図８】図８は、変形例にかかる電子機器における組立状態のレンズカバーユニットおよび上枠を下方から見た底面図であり、（ａ）は第１変形例にかかる電子機器を示し、（ｂ）は第２変形例にかかる電子機器を示し、（ｃ）は第３変形例に係る電子機器を示し、（ｄ）は第４変形例にかかる電子機器を示す図である。
【図９】図９は、本願発明に対する比較例にかかる電子機器の一部拡大模式図であり、（ａ）はカメラのレンズが覆われている状態であり、（ｂ）はレンズが露呈されている状態を示す図である。
【発明を実施するための形態】
【００２４】
以下に、本発明にかかる電子機器の実施形態を図面に基づいて詳細に説明する。なお、この実施形態によりこの発明が限定されるものではない。
【００２５】
図１は、本発明の一実施形態にかかる電子機器であるノートブック型ＰＣ１０の斜視図である。本発明にかかる電子機器はノートブック型ＰＣ１０に限らず、例えばデスクトップ型ＰＣ、モバイル型タブレット端末または多機能携帯電話などでもよい。
【００２６】
ノートブック型ＰＣ１０は、筐体１４に対して蓋体１６がヒンジ１８により開閉可能となっており、蓋体１６を閉じることによってコンパクトになりモバイル用途に好適である。筐体１４の上面にはキーボード２０が設けられている。
【００２７】
以下の説明では、蓋体１６を基準として左右方向をＸ方向、高さ方向をＹ方向、表示装置２２の厚み方向をＺ方向とも表す。また、次に説明する表示装置２２の表示面および枠体２４の枠面の方向を前方、その逆側を後方とする。
【００２８】
蓋体１６は、正面つまりディスプレイ面に設けられた表示装置２２と、該表示装置２２の周囲を囲む枠体２４と、枠体２４の上辺である上枠２４ａに設けられて前方を撮影可能なカメラ２６と、裏カバー２８とを有する。
【００２９】
表示装置２２は薄型矩形のカラー液晶型であって、蓋体１６における正面の大部分を占めている。枠体２４は狭幅となっており、いわゆるナローベゼルである。表示装置２２の前面にはガラス２７が設けられている。ガラス２７は矩形である。ガラス２７はタッチパネルに対応したものでもよい。
【００３０】
カメラ２６は、枠体２４の上枠２４ａにおける中央に設けられた細い横長形状の光学デバイスであり、中央部にはレンズ２６ａが設けられ、その右側にはインジケータ２６ｂが設けられている。カメラ２６の左側には赤外線ポート３０が設けられている。カメラ２６および赤外線ポート３０は前方、つまりユーザの側を指向している。インジケータ２６ｂはカメラ２６の動作状態を表示する。上枠２４ａには、該Ｘ方向に沿って枠体２４内の第１位置と第２位置との間でスライド可能なレンズカバーユニット３２が設けられている。蓋体１６はＺ方向に薄い。
【００３１】
図２は、枠体２４における上枠２４ａの拡大正面図であり、（ａ）はレンズカバーユニット３２が第１位置にある状態を示し、（ｂ）はレンズカバーユニット３２が第２位置にある状態を示す。
【００３２】
図２（ａ）に示すように、レンズカバーユニット３２が左寄りの第１位置にあるときには、該レンズカバーユニット３２のレンズカバー３４がレンズ２６ａの前方を覆うとともに、インジケータカバー３６がインジケータ２６ｂの前方を覆う。レンズカバーユニット３２において、少なくともレンズカバー３４およびインジケータカバー３６は光を透過させない材料で形成される。レンズカバー３４がレンズ２６ａの前方を覆うことにより、カメラ２６によりユーザの意図に反した撮影が行われることが防止され、ユーザに安心感を与えることができる。また、レンズ２６ａが覆われていることにより、枠体２４とのデザイン的一体感が得られる。
【００３３】
図２（ｂ）に示すように、レンズカバーユニット３２が右寄りの第２位置に移動すると、レンズカバー３４も移動し、レンズ２６ａの前方を避ける位置に配されて該レンズ２６ａが露呈する。またインジケータカバー３６も移動し、インジケータ２６ｂの前方を避ける位置に配置されて該インジケータ２６ｂは露呈孔３６ａから露呈する。レンズカバー３４が移動してレンズ２６ａが露呈することにより、カメラ２６による撮像が可能となる。
【００３４】
レンズカバーユニット３２は上部にノブ３８を備えている。ユーザが該ノブ３８をＸ方向に操作することによりレンズカバーユニット３２が第１位置と第２位置との間でスライドする。ノブ３８には切欠き３８ａが設けられており、指または爪で操作しやすい。切欠き３８ａはレンズカバー３４のちょうど上方部分に設けられており、直感的操作が可能である。ノブ３８はＹ方向寸法が短くてＸ方向に延在する形状である。
【００３５】
上枠２４ａの上部は裏カバー２８の一部である横長部材２８ａで覆われている。横長部材２８ａとガラス２７との間は、上枠２４ａの一部である中間部材２４ａａが前方に向かってやや突出している(図３参照)。中間部材２４ａａは横長部材２８ａ、ガラス２７およびノブ３８とともに同一面を形成しており、一体化したデザインを実現している。中間部材２４ａａはノブ３８と同じ高さである。中間部材２４ａａには切欠２４ａｂが形成されている。ノブ３８は横長部材２８ａとガラス２７との間の領域で、切欠２４ａｂの範囲内でＸ方向にスライドする。
【００３６】
中間部材２４ａａはガラス２７の周囲を保護する。また、中間部材２４ａａはガラス２７を装着（例えば接着）するときの位置決めに用いられ、組み付けが容易となる。
【００３７】
蓋体１６の組み立て順序は、まず枠体２４にレンズカバーユニット３２を組み付け、そして枠体２４に表示装置２２を組み付け、さらに枠体２４に対して中間部材２４ａａを位置決めとしてガラス２７を組み付け、最後に横長部材２８ａを含む裏カバー２８を取り付ける。この電子機器１０では、裏カバー２８はレンズカバーユニット３２を含む機構に関与しない構成となっている。
【００３８】
図３は、蓋体１６を斜め裏側から見た一部拡大分解斜視図である。図３に示すように、ガラス２７の上部には枠体２４を遮蔽する着色部２７ａが設けられている。着色部２７ａはドット地で示している。着色部２７ａにはレンズ２６ａ、インジケータ２６ｂおよび赤外線ポート３０に対応した３か所の窓２７ａａ，２７ａｂ，２７ａｃが形成されている。窓２７ａａ〜２７ａｃは着色のない透明部である。
【００３９】
枠体２４における上枠２４ａは、平面視でノブ３８の三方を囲うガード４０と、突起ベース６１とを備える。ガード４０はノブ３８の裏側を覆い、正面を露呈させる形状である。ガード４０の内側は切欠２４ａｂであり、ノブ３８がスライドする際のストッパとなる。つまり、ノブ３８が図３の「左」矢印方向に変位してガード４０の一端に当接するとレンズカバーユニット３２は第１位置となり、「右」矢印方向に変位してガード４０の他端に当接するとレンズカバーユニット３２は第２位置となる。突起ベース６１については後述する。
【００４０】
図４は、斜め裏側から見たレンズカバーユニット３２の斜視図であり、図５は、正面斜め下方から見たレンズカバーユニット３２と上枠２４ａとの分解斜視図である。図４および図５に示すように、レンズカバーユニット３２はベース板４２を備えており、該ベース板４２の上端からは上記のノブ３８が前方に突出しており、下端からはさらに下方に向かって上記のレンズカバー３４およびインジケータカバー３６が一体的に延在している。レンズカバー３４およびインジケータカバー３６は、一体的でなくともレンズカバーユニット３２に固定されていればよい。ベース板４２はＺ方向が板厚方向であってＸ−Ｙ方向の平面を形成する小板である。ベース板４２、レンズカバー３４およびインジケータカバー３６は同一厚みで同一面を形成している。
【００４１】
レンズカバー３４はレンズ２６ａを覆うのに十分な面積の板である。レンズカバー３４には小孔３４ａが形成されている。レンズカバー３４の裏面には光を透過させないシール３４ｂが塗付されている。正面からは小孔３４ａを通して裏面のシール３４ｂが視認される。シール３４ｂは例えば赤色であって、レンズカバー３４がレンズ２６ａを覆っているとき、ユーザはシール３４ｂの色で遮蔽状態を確認することができる。
【００４２】
インジケータカバー３６はレンズカバー３４から連続的に右方向に伸びる板であり、その中央には露呈孔３６ａが形成されている。露呈孔３６ａはインジケータ２６ｂを露呈させる部分であり、インジケータカバー３６における露呈孔３６ａよりも「右」矢印側がインジケータ２６ｂを覆う部分である。レンズカバー３４とインジケータカバー３６との間の下部には小さい切欠き４４が形成されている。
【００４３】
レンズカバー３４はさらに、ベース板４２から「右」矢印方向側に延在するアーム４６と、該アーム４６の先端に設けられた固定板４８と、アーム４６によって両端が固定された金属板５０とを有する。金属板５０は、例えばステンレス鋼である。
【００４４】
アーム４６は上枠２４ａに沿ってＸ方向にほぼ直線状に延在している。アーム４６は、前面の「左」矢印側に段差４６ｂが形成されるとともに、前面の「右」矢印側に段差４６ｄが形成され、前側に浅い凹部４６ａが形成されている。また、アーム４６は下面に段差４６ｃが形成されており、該段差４６ｃよりも「右」矢印側部分は直線部４６ｅが形成されている。固定板４８はアーム４６の先端から下方向かって形成された小板である。
【００４５】
図５に示すように、金属板５０は、中央の板バネ５２と、右端固定部５４と、左端固定部５６とを有する。右端固定部５４は、固定板４８と重なる同形状の板であってカシメ５４ａによって位置決め固定されている。左端固定部５６は、ベース板４２、レンズカバー３４およびインジケータカバー３６と重なる同形状の板であってカシメ５６ａによって位置決め固定されている。左端固定部５６には、小孔３４ａおよび露呈孔３６ａを露呈させる孔が形成されている。左端固定部５６における露呈孔３６ａの「下」矢印側および「左」矢印方向側にはＬ字形状の薄いテープ５８が貼られている。テープ５８によれば金属板５０がガラス２７（図３参照）に対してスムーズに摺動可能となり、金属板５０がガラス２７を損傷することがない。露呈孔３６ａの下側部分はテープ５８の貼り付け面をＸ方向に長く確保することができ、ガラス２７の損傷を一層防止できる。
【００４６】
板バネ５２は右端固定部５４および左端固定部５６と一体的に形成されており、例えば同一の板材から打ち抜き加工によって得られる。板バネ５２は両端をそれぞれ適度な面積を有する右端固定部５４および左端固定部５６によってアーム４６に対して確実に固定されている。板バネ５２の中央部には、後方に向かって突出する屈曲部（作用部）６０が形成されている。屈曲部６０は平面視で山なり形状である。板バネ５２のＹ方向幅はアーム４６のＹ方向幅とほぼ等しい。板バネ５２のＺ方向幅は適度に薄く弾性がある。したがって、屈曲部６０はＺ方向に弾性的に変位可能である。なお、板バネ５２は、Ｚ方向に弾性変形する際には曲げ変形が可能な程度に後に向かってわずかに凸となるように弓なり形状となっている。したがって、板バネ５２はＺ方向に弾性変形する際に引張りによる伸び変形はほとんどない。
【００４７】
上枠２４ａにおけるガード４０よりもやや「右」矢印方向の箇所では、天面２４ａｃから下方に向かって突起ベース６１が突出している。突起ベース６１は上枠２４ａと一体構造であるが、別体部品が上枠２４ａに固定されていてもよい。突起ベース６１は前方に向かって突出する突起６２と、２つの補助突起６４Ｌ，６４Ｒと、下端から後方に突出する小さい抜止６６とを有する。突起６２は突起ベース６１の中央部から前方に突出する山なり形状である。突起６２のＺ方向高さは屈曲部６０のＺ方向高さとほぼ等しく、かつレンズカバーユニット３２がＸ方向にスライドする際に、屈曲部６０がＺ方向に弾性変形して乗り越え可能な高さである。
【００４８】
補助突起６４Ｌは突起６２の左側に設けられ、補助突起６４Ｒは突起６２の右側に設けられている。補助突起６４Ｌと突起６２との間には第１凹部６８Ｌが形成され、補助突起６４Ｒと突起６２との間には第２凹部６８Ｒが形成されている。
【００４９】
図６は、正面斜め下方から見た組立状態のレンズカバーユニット３２および上枠２４ａの斜視図である。図６に示すように、組立状態においてはアーム４６および板バネ５２は上枠２４ａに沿って配置されており、該上枠２４ａの天面２４ａｃとの間にはほとんど隙間がない。また、組立状態においては、突起ベース６１の突起６２および補助突起６４Ｌ，６４Ｒは板バネ５２とアーム４６との間に配置される。
【００５０】
さらに、抜止６６はアーム４６における直線部４６ｅを下側から保持して該直線部４６ｅが下方に抜けることを防止するとともに、レンズカバーユニット３２がＸ方向にスライドする際のガイドとなる。さらにまた、突起ベース６１は、板バネ５２の屈曲部６０とアーム４６の凹部４６ａとにより隙間なく挟持されている。これにより凹部４６ａは突起ベース６１の後面に当接し、該突起ベース６１によってＺ方向に位置決めされＸ方向にガイドされる。レンズカバーユニット３２を上枠２４ａに組み付ける際には、板バネ５２を前方に弾性変形させてアーム４６との間の隙間を広げ、該隙間に突起ベース６１および抜止６６を入れ込むとよい。組立状態においては、ノブ３８はガード４０に囲われる（図３参照）。
【００５１】
レンズカバーユニット３２は、このように上枠２４ａに対して組み立てられることにより、表示装置２２やガラス２７がない状態においてもいずれの方向にも抜け落ちることがない。したがって、枠体２４に対して表示装置２２やガラス２７を装着する前の工程においてレンズカバーユニット３２を組み付けた枠体２４の扱いが容易である。また、仮に抜止６６が設けられていなくとも、突起ベース６１が板バネ５２とアーム４６との間に配置されていれば、レンズカバーユニット３２は少なくともＺ方向には抜けることがない。
【００５２】
図７は、組立状態のレンズカバーユニット３２および上枠２４ａを下方から見た底面図であり、（ａ）はレンズカバーユニット３２が第１位置にある状態を示し、（ｂ）はレンズカバーユニット３２が第２位置にある状態を示し、（ｃ）はレンズカバーユニット３２が第１位置と第２位置との間にある状態を示す。
【００５３】
図７（ａ）に示すように、レンズカバーユニット３２が第１位置にある状態では、屈曲部６０は第１凹部６８Ｌに嵌まり込む。図７（ｂ）に示すように、レンズカバーユニット３２が第２位置にある状態では、屈曲部６０は第２凹部６８Ｒに嵌まり込む。第１凹部６８Ｌおよび第２凹部６８Ｒは、それぞれ屈曲部６０が嵌まり込む形状になっている。
【００５４】
レンズカバーユニット３２が第１位置と第２位置との間でスライドするときに、図７（ｃ）に示すように、突起６２は屈曲部６０を前方に押圧して弾性変形させ、その後に屈曲部６０は突起６２を乗り越える。これにより、レンズカバーユニット３２はＸ方向について第１位置または第２位置のいずれかに位置決めされ、重力や振動などで不用意に動くことがない。また、ユーザはレンズカバーユニット３２をＸ方向にスライドさせる際に好適なクリック感が得られるとともに動作確認が可能となる。レンズカバーユニット３２が第１位置または第２位置との間でスライドする際にクリック音を発生させる構成としてもよい。
【００５５】
さらに、レンズカバーユニット３２が第１位置または第２位置にあるとき、屈曲部６０は突起６２の左右いずれかの裾部６２ａに接触しており、前方に向かって適度に弾性付勢されている。つまり、板バネ５２はプリテンションを受けている。これにより、突起６２と突起ベース６１との間に隙間がなく、がたつきが防止されるとともに、屈曲部６０が突起６２を乗り越える際に規定荷重を発生させることができる。なお、突起６２の裾部６２ａとは、突起６２の両側の傾斜面から第１凹部６８Ｌおよび第２凹部６８Ｒの底部までを含む。
【００５６】
屈曲部６０が突起６２を乗り越える際（図７（ｃ）参照）、アーム４６は突起６２が屈曲部６０を押圧する反力を受けて前方に変位するように付勢されるが、突起ベース６１は、屈曲部６０とアーム４６とにより挟持されている。したがってアーム４６は前方に曲がることがなく、レンズカバーユニット３２は適正姿勢に保たれ、突起６２は規定量および規定荷重で屈曲部６０を確実に押圧することができる。
【００５７】
このように構成される電子機器１０では、レンズカバーユニット３２に設けられた板バネ５２の屈曲部６０は前方に弾性的に変位可能となっている。そして、レンズカバーユニット３２が第１位置と第２位置との間でスライドするときに、板バネ５２の屈曲部６０は突起６２によりＺ方向に弾性的に変位し、その後に屈曲部６０が突起６２を乗り越える構成となっている。つまり、板バネ５２が弾性変形するための移動代はＺ方向に確保されていれば足り、Ｙ方向には不要であって、レンズカバーユニット３２および該レンズカバーユニット３２が収容される領域のＹ方向寸法を小さく設定することができる。これにより、枠体２４の上枠２４ａのＹ方向幅を一層狭くすることができる。
【００５８】
また、板バネ５２は、図９の比較例として示す弾性体５１４のような片持ち式ではなく、両端がアーム４６で固定されていることから薄く設定されていても十分な弾性反力を発生させることができ、レンズカバーユニット３２のＺ方向幅を狭くすることができる。後述する板バネ５２Ｃ(図８（ｃ）参照)なども同様である。板バネ５２における作用部としての屈曲部６０は、曲げ加工により容易に形成される。
【００５９】
突起６２を備える突起ベース６１は枠体２４と一体構造であって、部品点数が低減できる。突起ベース６１は板バネ５２とアーム４６との間に配置されることから、組立工程においてレンズカバーユニット３２がＺ方向に抜け落ちることがない。また、抜止６６がアーム４６の直線部４６ｅを保持することから、レンズカバーユニット３２がＹ方向に抜け落ちることがない。
【００６０】
レンズカバーユニット３２が第１位置にあるとき屈曲部６０は第１凹部６８Ｌに嵌まり込み、レンズカバーユニットが第２位置にあるとき屈曲部６０は第２凹部６８Ｒに嵌まり込み、それぞれの状態で位置決めがなされる。
【００６１】
なお、レンズカバーユニット３２を第１位置と第２位置との間でスライドさせる際にクリック感を発生させるためには、突起ベース６１には突起６２があれば足り、設計条件によっては補助突起６４Ｌ，６４Ｒは省略してもよい。補助突起６４Ｌ，６４Ｒが省略される場合、レンズカバーユニット３２の第１位置と第２位置における位置決めはノブ３８とガード４０の両壁との当接によって行うことができる。
【００６２】
また、インジケータカバー３６によれば、レンズ２６ａの遮蔽・露呈に同期して、インジケータ２６ｂを遮蔽・露呈させることができる。
【００６３】
図８は、変形例にかかる電子機器における組立状態のレンズカバーユニット３２および上枠２４ａを下方から見た底面図であり、（ａ）は第１変形例にかかる電子機器１０Ａを示し、（ｂ）は第２変形例にかかる電子機器１０Ｂを示し、（ｃ）は第３変形例に係る電子機器１０Ｃを示し、（ｄ）は第４変形例にかかる電子機器１０Ｄを示す。図８（ａ）〜（ｄ）においてレンズカバーユニット３２は第１位置にある。電子機器１０Ａ〜１０Ｄにおいて上記の電子機器１０と同様の構成要素については同符号を付してその詳細な説明を省略する。電子機器１０Ａ〜１０Ｄの相互間においても同様である。また、電子機器１０の構成要素に対応するものには符号に順に「Ａ」、「Ｂ」、「Ｃ」、「Ｄ」を付けて表す。
【００６４】
図８（ａ）に示すように、電子機器１０Ａにおけるレンズカバーユニット３２では、上記の板バネ５２に代えて板バネ５２Ａが設けられている。板バネ５２Ａは２つの屈曲部６０Ｌ，６０Ｒを備える。屈曲部６０Ｌ，６０Ｒは上記の屈曲部６０に代えて設けられており、該屈曲部６０よりもＺ方向の突出量が小さい。２つの屈曲部６０Ｌと屈曲部６０Ｒとの間には中間凹部６９Ｍが形成される。
【００６５】
電子機器１０Ａにおける上枠２４ａでは、上記の突起ベース６１に代えて突起ベース６１Ａが設けられている。突起ベース６１Ａは２つの突起６２Ｌ，６２Ｒを備える。突起６２Ｌ，６２Ｒは上記の突起６２に代えて設けられており、が突起６２よりもＺ方向の突出量が小さい。２つの突起６２Ｌと突起６２Ｒとの間には中間凹部６８Ｍが形成されている。突起６２Ｌの左には補助突起６４Ｌが設けられ、突起６２Ｒの右には補助突起６４Ｒが設けられている。
【００６６】
電子機器１０Ａでは、レンズカバーユニット３２が第１位置にあるとき（図８（ａ）に示す状態）、屈曲部６０Ｌが第１凹部６８Ｌに嵌まり込み、屈曲部６０Ｒが中間凹部６８Ｍに嵌まり込み、突起６２Ｌが中間凹部６９Ｍに嵌まり込む。また、レンズカバーユニット３２が第２位置にあるとき（図示省略）、屈曲部６０Ｌが中間凹部６８Ｍに嵌まり込み、屈曲部６０Ｒが第２凹部６８Ｒに嵌まり込み、突起６２Ｒが中間凹部６９Ｍに嵌まり込む。
【００６７】
このような電子機器１０Ａでは、２つの屈曲部６０Ｌ，６０Ｒと２つの突起６２Ｌ，６２Ｒおよび補助突起６４Ｌ，６４Ｒとにより板バネ５２Ａと突起ベース６１Ａとが複数個所で係合することになり、レンズカバーユニット３２の位置決めが一層確実に行われる。また、レンズカバーユニット３２がＸ方向にスライドする際、２つの屈曲部６０Ｌ，６０Ｒが２つの突起６２Ｌ，６２ＲによってＺ方向に押し出されるために、押圧力が分散されることになり、個々の屈曲部６０Ｌ，６０Ｒおよび突起６２Ｌ，６２ＲのＺ方向高さは低く抑えられる。したがって、レンズカバーユニット３２における板バネ５２Ａとアーム４６とのＺ方向幅を小さく設定することができる。なお、板バネにおける屈曲部と突起ベース６１における突起とは３以上でもよく、複数の屈曲部と複数の突起とが、Ｘ方向に沿って交互に配置される間隔で設けられていればよい。
【００６８】
図８（ｂ）に示すように、電子機器１０Ｂにおいては、上記の板バネ５２に代えて板バネ５２Ｂが設けられており、さらに上記の突起ベース６１に代えて突起ベース６１Ｂが設けられている。板バネ５２Ｂはレンズカバーユニット３２に設けられ、突起ベース６１Ｂは上枠２４ａに設けられている。板バネ５２Ｂは中央の屈曲部６０Ｂと、その左右に２つの補助屈曲部７０Ｌ，７０Ｒとを備える。補助屈曲部７０Ｌと屈曲部６０Ｂとの間には第１凹部７２Ｌが形成され、補助屈曲部７０Ｒと屈曲部６０Ｂとの間には第２凹部７２Ｒが形成されている。突起ベース６１Ｂは上記の突起ベース６１と同様に突起６２を有するが、補助突起６４Ｌ，６４Ｒは省略されている。
【００６９】
電子機器１０Ｂでは、レンズカバーユニット３２が第１位置にあるとき（図８（ｂ）に示す状態）、突起６２が第２凹部７２Ｒに嵌まり込む。また、レンズカバーユニット３２が第２位置にあるとき（図示省略）、突起６２が第１凹部７２Ｌに嵌まり込む。
【００７０】
図８（ｃ）に示すように、電子機器１０Ｃにおけるレンズカバーユニット３２にはアーム７４が設けられている。アーム７４は上記のアーム４６よりも前方に配置され、該アーム４６と並列してＸ方向に沿って延在しており、右端固定部５４と左端固定部５６とを接続している。アーム７４はアーム４６と同様に剛体である。
【００７１】
また、電子機器１０Ｃにおいては、上記の板バネ５２に代えて板バネ５２Ｃが設けられており、さらに上記の突起ベース６１に代えて突起ベース６１Ｃが設けられている。突起ベース６１Ｃはアーム７４に設けられている。突起ベース６１Ｃは、突起６２Ｃ、補助突起６４ＣＬ，６４ＣＲを有する。突起６２Ｃ、補助突起６４ＣＬ，６４ＣＲは上記の突起６２、補助突起６４Ｌ，６４Ｒに相当するが、それぞれ後方に向けて突出している。つまり、突起ベース６１Ｃは上記の突起ベース６１と同形状であるが、前後逆向きに配置されている。
【００７２】
板バネ５２ＣはＸ方向に沿って延在しており、両端が上枠２４ａから突出する２つのポスト７６Ｌ，７６Ｒに固定されている。板バネ５２Ｃとポスト７６Ｌ，７６Ｒとの固定は、例えば溶着による。板バネ５２Ｃは屈曲部６０Ｃを有する。屈曲部６０Ｃは上記の屈曲部６０に相当するが、前方に向けて突出している。つまり、板バネ５２Ｃは上記の板バネ５２と同形状であるが、前後逆向きに配置されている。
【００７３】
このように電子機器１０Ｃは、概念的には電子機器１０における弾性体の板バネ５２と剛体の突起ベース６１とを入れ替えた構造となっている。電子機器１０と電子機器１０Ｃとの比較、および電子機器１０Ｂと後述する電子機器１０Ｄとの比較から明らかなように、レンズカバーユニット３２を第１位置と第２位置とに位置決めするために用いられる弾性体の板バネは、レンズカバーユニット３２または枠体２４の一方に固定され、剛体の突起は他方に固定されていればよい。弾性体が枠体２４の側に設けられていると寸法の調整が容易となる。一方、弾性体がレンズカバーユニット３２に設けられていると、枠体２４に弾性体が不要となり、コストが低減するとともに弾性体固定の工程が容易となる。
【００７４】
なお、上記の弾性体と剛体とは相対的なものであり、剛体がわずかながら弾性を有していてもよい。
【００７５】
図８（ｄ）に示すように、電子機器１０Ｄにおけるレンズカバーユニット３２は、電子機器１０Ｃの場合と同様にアーム７４が設けられている。アーム７４には後ろ向きに突出する突起６２Ｄが設けられている。また、電子機器１０Ｄにおいては、上記の板バネ５２に代えて板バネ５２Ｄが設けられている。板バネ５２ＤはＸ方向に沿って延在しており、両端が上枠２４ａから突出する２つのポスト７６Ｌ，７６Ｒに固定されている。
【００７６】
板バネ５２Ｄは中央の屈曲部６０Ｄと、その左右に２つの補助屈曲部７８Ｌ，７８Ｒとを備える。補助屈曲部７８Ｌと屈曲部６０Ｄとの間には第１凹部８０Ｌが形成され、補助屈曲部７８Ｒと屈曲部６０Ｄとの間には第２凹部８０Ｒが形成されている。
【００７７】
屈曲部６０Ｄ、補助屈曲部７８Ｌ，７８Ｒは上記の屈曲部６０Ｂ、補助屈曲部７０Ｌ，７０Ｒに相当するが、それぞれ前方に向けて突出している。つまり、板バネ５２Ｄは上記の板バネ５２Ｂと同形状であるが、前後逆向きに配置されている。
【００７８】
このように電子機器１０Ｄは、概念的には電子機器１０Ｂにおける弾性体の板バネ５２Ｂと剛体の突起ベース６１Ｂとを入れ替えた構造となっている。
【００７９】
設計条件によっては、上記の板バネ５２，５２Ａ〜５２Ｄは他の弾性体、例えば金属製スプリングピンなどを適用してもよい。
【００８０】
本発明は、上記した実施形態に限定されるものではなく、本発明の主旨を逸脱しない範囲で自由に変更できることは勿論である。
【符号の説明】
【００８１】
１０，１０Ａ，１０Ｂ，１０Ｃ，１０Ｄ  電子機器
２２  表示装置
２４  枠体
２４ａ  上枠
２６  カメラ
２６ａ  レンズ
２６ｂ  インジケータ
２７  ガラス
３２  レンズカバーユニット
３４  レンズカバー
３６  インジケータカバー
３６ａ  露呈孔
３８  ノブ
４０  ガード
４６，７４  アーム
４６ｅ  直線部
５０  金属板
５２，５２Ａ，５２Ｂ，５２Ｃ，５２Ｄ  板バネ
５８  テープ
６０，６０Ｂ，６０Ｃ，６０Ｄ，６０Ｌ，６０Ｒ  屈曲部（作用部）
６１，６１Ａ，６１Ｂ，６１Ｃ  突起ベース
６２，６２Ｌ，６２Ｒ  突起
６２ａ  裾部
６４Ｌ，６４Ｒ  補助突起
６６  抜止
６８Ｌ，７２Ｌ，８０Ｌ  第１凹部
６８Ｒ，７２Ｒ，８０Ｒ  第２凹部
７６Ｌ，７６Ｒ  ポスト
７８Ｌ，７８Ｒ  補助屈曲部
【図１】
2020201886.tif 000003
【図２】
2020201886.tif 000004
【図３】
2020201886.tif 000005
【図４】
2020201886.tif 000006
【図５】
2020201886.tif 000007
【図６】
2020201886.tif 000008
【図７】
2020201886.tif 000009
【図８】
2020201886.tif 000010
【図９】
2020201886.tif 000011